(57)【要約】【課題】特別な防水性を要求されない簡易な構成でありながら浴室内で手軽に音楽等を聞くことができるオーディオ装置を提供する【解決手段】浴室１００の扉１０１の外面に貼り付けた振動体２０をオーディオ信号に応じて振動させることにより、扉１０１がスピーカとして作用し、浴室１００内部においてオーディオ信号に応じた音が再生される。従って、防水性能のいらない簡易な構成でありながら、普段使用しているオーディオ機器５０の音楽等を浴室１００の中で手軽に聞くことができる。電子回路を内蔵しているオーディオ機器５０やオーディオ信号増幅装置１０を浴室の内部に持ち込まなくて良いため、これらの電子機器が水に濡れて故障する問題が殆ど生じないという利点がある。【選択図】図１
2011234159.tif 000002
【特許請求の範囲】
【請求項１】
利用者の所定の音量指示操作に応じた音量調節信号を生成するリモートコントローラ制御回路、及び、前記音量調節信号を含んだ無線信号を送信する送信回路を備えるリモートコントローラと、
入力される音響信号を増幅する増幅回路、前記無線信号を受信する受信回路、及び、前記受信回路において受信された前記無線信号に含まれる前記音量調節信号に応じて前記増幅回路の増幅率を制御する本体制御回路を備える音響信号増幅装置と、
前記増幅回路から出力される増幅された音響信号に応じて振動する振動体と、
前記振動体を浴室の扉の外面に貼り付ける貼り付け部材と
を有するオーディオ装置。
【請求項２】
前記リモートコントローラが、前記リモートコントローラ制御回路及び前記送信回路を内包する防水容器を備える、
請求項１に記載のオーディオ装置。
【請求項３】
前記貼り付け部材が、一方の面において前記振動体に粘着し、他方の面において前記浴室の扉の外面に粘着する両面粘着シートを含む、
請求項１又は２に記載のオーディオ装置。
【請求項４】
入力される音響信号を第２無線信号に変換して送信する第２送信回路を有し、
前記音響信号増幅装置が、前記第２無線信号を受信して音響信号に変換し、当該変換した音響信号を前記増幅回路に入力する第２受信回路を有する、
請求項１乃至３の何れか一項に記載のオーディオ装置。
【発明の詳細な説明】
【技術分野】
【０００１】
本発明は、浴室等で手軽に音楽等を聞くことができるオーディオ装置に関するものである。
【背景技術】
【０００２】
近年、携帯音楽プレイヤーなどの携帯型のオーディオ装置が一般の需要者に広く普及しており、記憶容量やバッテリー寿命などの性能も大幅に向上していることから、どこでも手軽に好みの音楽等を聞くことができるようになってきている。近頃では、そうした利便性が日常生活において当たり前の状況となりつつある。
【発明の概要】
【発明が解決しようとする課題】
【０００３】
ところで、近年の携帯型のオーディオ装置は極めて高機能になっている半面、非常にデリケートな電子回路を内蔵しているため、水に濡れて故障することも多くなっている。日常生活において想定される基本的な防水性能を高めた製品も開発されているが、完全に水没した状態で使用できるほど高い防水性能を持った機器は殆どなく、現状では高価な製品に限られている。
【０００４】
そのため、どこでも音楽等を聞けることが当たり前となった昨今においても、自宅の浴室内で携帯型オーディオ装置の音楽等を聞くようなことは、ほとんど行われていない。しかしながら、浴室は日常の疲れを癒してリラックスできる貴重な場所であり、このような場所で手軽に音楽等を楽しめるようになれば利用者の利便性が更に向上する。
【０００５】
本発明はかかる事情に鑑みてなされたものであり、その目的は、特別な防水性を要求されない簡易な構成でありながら浴室内で手軽に音楽等を聞くことができるオーディオ装置を提供することにある。
【課題を解決するための手段】
【０００６】
本発明に係るオーディオ装置は、利用者の所定の音量指示操作に応じた音量調節信号を生成するリモートコントローラ制御回路、及び、前記音量調節信号を含んだ無線信号を送信する送信回路を備えるリモートコントローラと、入力される音響信号を増幅する増幅回路、前記無線信号を受信する受信回路、及び、前記受信回路において受信された前記無線信号に含まれる前記音量調節信号に応じて前記増幅回路の増幅率を制御する本体制御回路を備える音響信号増幅装置と、前記増幅回路から出力される増幅された音響信号に応じて振動する振動体と、前記振動体を浴室の扉の外面に貼り付ける貼り付け部材とを有する。
【０００７】
好適に、前記リモートコントローラが、前記リモートコントローラ制御回路及び前記送信回路を内包する防水容器を備える。
【０００８】
好適に、前記貼り付け部材が、一方の面において前記振動体に粘着し、他方の面において前記浴室の扉の外面に粘着する両面粘着シートを含む。
【０００９】
好適に、入力される音響信号を第２無線信号に変換して送信する第２送信回路を有し、前記音響信号増幅装置が、前記第２無線信号を受信して音響信号に変換し、当該変換した音響信号を前記増幅回路に入力する第２受信回路を有する。
【発明の効果】
【００１０】
本発明によれば、浴室の扉の外面に貼り付けた振動体を音響信号に応じて振動させることにより、扉をスピーカとして作用させているので、特別な防水性能を持たない簡易な構成でありながら浴室の中で手軽に音楽等を聞くことができる。
【図面の簡単な説明】
【００１１】
【図１】第１の実施形態に係るオーディオ装置の構成の一例を示す図である。
【図２】振動体について説明するための図である。
【図３】第１の実施形態に係るオーディオ装置おけるオーディオ信号増幅装置の構成の一例を示す図である。
【図４】リモートコントローラの構成の一例を示す図である。
【図５】リモートコントローラの外観と内部構造を説明するための図である。
【図６】第２の実施形態に係るオーディオ装置の構成の一例を示す図である。
【図７】第２の実施形態に係るオーディオ装置におけるオーディオ信号増幅装置の構成の一例を示す図である。
【発明を実施するための形態】
【００１２】
＜第１の実施形態＞
図１は、本発明の第１の実施形態に係るオーディオ装置の構成の一例を示す図である。
本実施形態に係るオーディオ装置は、浴室１００の扉１０１をスピーカとして作用させるように構成されており、例えば図１に示すように、オーディオ信号増幅装置１０と、振動体２０と、リモートコントローラ３０とを有する。
【００１３】
振動体２０は、オーディオ信号増幅装置１０から供給されるオーディオ信号に応じて振動するデバイスであり、例えば図２（Ａ）に示すように、貼り付け部材２５によって浴室１００の扉１０１の外面（浴室の外側の面）に貼り付けられる。貼り付け部材２５は、両面に粘着性を持ったシートであり、一方の面が振動体２０の振動面に貼り付けられ、他方の面が扉１０１に貼り付けられる。
【００１４】
図２（Ｂ），（Ｃ）は、振動体２０の外観例を示す。図２（Ｂ）は振動体２０を表側（非貼り付け面側）から見た図であり、図２（Ｃ)は振動体２０を裏側（貼り付け面側）から見た図である。この図の例において、振動体２０はほぼ正方形の板体であり、その一辺の縁にオーディオ信号供給用ケーブルの端子を挿し込むためのジャック（挿入口）が設けられている。
【００１５】
オーディオ信号増幅装置１０は、携帯音楽プレイヤーや携帯ラジオ等のオーディオ機器５０から出力されるオーディオ信号を増幅して振動体２０に供給する装置である。オーディオ信号増幅装置１０は、例えば図３に示すように、本体制御回路１１と、受信回路１２と、ＬＥＤ回路１３と、増幅回路１４とを有する。
【００１６】
増幅回路１４は、オーディオ機器５０から供給されるオーディオ信号Ｓ＿ＩＮを本体制御回路１１の制御信号に応じたゲイン（増幅率）で増幅し、その増幅結果のオーディオ信号Ｓ＿ＯＵＴを振動体２０に出力する。
【００１７】
受信回路１２は、リモートコントローラ３０から送信される無線信号を受信し、これに含まれる音量調節信号を無線信号から取り出して（検波して）本体制御回路１１に出力する。
【００１８】
ＬＥＤ回路１３は、本体制御回路１１から供給される制御信号に応じて点灯又は消灯する１つ又は複数の発光ダイオード（ＬＥＤ）を含んだ回路であり、装置の動作状態を表示する。
【００１９】
本体制御回路１１は、オーディオ信号増幅装置１０の全体的な動作を制御する回路である。すなわち本体制御回路１１は、受信回路１２において受信された無線信号に含まれる音量調節信号に応じて、増幅回路１４の増幅率を制御する制御信号を生成する。また、本体制御回路１１は、内部電源の電圧レベルを監視して、電圧レベルが所定のしきい値に達しているか否かを判定し、その判定結果に応じてＬＥＤ回路１３のＬＥＤを点灯又は消灯する制御信号を生成する。
本体制御回路１１は、例えば、プログラムを格納した不揮発メモリと、このプログラムの命令コードに従って処理を実行するＣＰＵと、ＣＰＵの処理過程で一時的に使用されるデータやプログラムコードを格納する作業メモリを有する。
【００２０】
リモートコントローラ３０は、利用者１がオーディオ信号増幅装置１０を遠隔操作するための装置であり、例えば図４に示すように、リモートコントローラ制御回路３１と、ボタン３２，３３と、送信回路３４を有する。
【００２１】
ボタン３２，３３は、利用者１によって操作（押下）されると、その操作に応じた電気信号を発生してリモートコントローラ制御回路３１に入力する。ボタン３２は音量の増大を指示する電気信号を発生し、ボタン３３は音量の減少を指示する電気信号を発生する。
【００２２】
送信回路３４は、リモートコントローラ制御回路３から出力される音量調節信号を含んだ無線信号を生成してオーディオ信号増幅装置１０に送信する。
【００２３】
リモートコントローラ制御回路３１は、リモートコントローラ３０の全体的な動作を制御する回路である。すなわちリモート本体制御回路３１は、ボタン３２，３３の操作により発生した電気信号に応じて、増幅回路１４の増幅率を増大若しくは減少させる音量調節信号を生成し、送信回路３４に出力する。
リモートコントローラ制御回路３１は、例えば、プログラムを格納した不揮発メモリと、このプログラムの命令コードに従って処理を実行するＣＰＵと、ＣＰＵの処理過程で一時的に使用されるデータやプログラムコードを格納する作業メモリを有する。
【００２４】
図５は、リモートコントローラ３０の外観と内部構造の一例を示す図である。図５（Ａ）はリモートコントローラ３０の正面図を示し、図５（Ｂ)は断面図を示す。
図５の例において、リモートコントローラ３０は、やや縦長の板状の外形を有する。この板状の外形を形成する容器（シャーシ）３８の中に、上述したリモートコントローラ制御回路３１や送信回路３４、電池などの電子部品３５を載せた回路基板３６が内包される。また、上述したボタン３２，３３も容器３８に内包される。容器３８においてボタン３２，３３に当接する部分は、外側からボタン３２，３３を押下できるように変形可能に構成されている。
容器３８は、所定の規準の防水性能を有しており、浴室内部でお湯の中に落としても内部に水が浸入しないように構成されている。
【００２５】
ここで、上述した構成を有する図１に示すオーディオ装置の動作を説明する。
まず利用者１は、入浴の前に、浴室１００の扉１０１の外面に振動体２０を貼り付け部材２５で貼り付けておく。また、利用者１は、携帯音楽プレイヤー等のオーディオ機器５０の信号出力端子とオーディオ信号増幅装置１０の信号入力端子とを適当な長さのケーブルで接続するとともに、オーディオ信号増幅装置１０の信号出力端子と振動体２０の信号入力端子とをケーブルで接続しておく。
【００２６】
次に、利用者１は、オーディオ信号増幅装置１０とオーディオ機器５０の電源をそれぞれオン状態とし、オーディオ機器５０から所望のオーディオ信号を出力させる。これにより、オーディオ機器５０から出力されるオーディオ信号がオーディオ信号増幅装置１０において増幅され、増幅されたオーディオ信号が振動体２０を駆動する。振動体２０がオーディオ信号に応じて振動することにより、振動体２０を貼り付けられた扉１０１がスピーカとして作用する。その結果、浴室１００の内部では、オーディオ信号に応じた音が再生される。
【００２７】
利用者１が浴室１００の内部でリモートコントローラ３０のボタン３２，３３を操作すると、この操作に応じた音量調節信号がリモートコントローラ３０からオーディオ信号増幅装置１０へ無線により送信され、この音量調節信号に応じて増幅回路１４の増幅率が調節される。これにより、振動体２０へ供給されるオーディオ信号のレベルが調節され、浴室１００の内部における音量が調節される。
【００２８】
以上説明したように、本実施形態に係るオーディオ装置によれば、浴室１００の扉１０１の外面に貼り付けた振動体２０をオーディオ信号に応じて振動させることにより、扉１０１がスピーカとして作用し、浴室１００内部においてオーディオ信号に応じた音が再生される。
従って、防水性能のいらない簡易な構成でありながら、普段使用しているオーディオ機器５０の音楽等を浴室１００の中で手軽に聞くことができる。特に、電子回路を内蔵しているオーディオ機器５０やオーディオ信号増幅装置１０を浴室の内部に持ち込まなくて良いため、これらの電子機器が水に濡れて故障する問題が殆ど生じないという利点がある。
【００２９】
また、本実施形態に係るオーディオ装置によれば、浴室１００の扉１０１をスピーカとして作用させるため、浴室１００の内部で音が響き易くなり、振動体２０の駆動信号が比較的小さい場合でも聴取に十分な音量が得られる。従って、オーディオ信号増幅装置１０における電池の消耗が小さいという利点がある。
【００３０】
また、本実施形態に係るオーディオ装置によれば、リモートコントローラ３０において電子部品３５やボタン３２，３３を内包する容器３８が所定の規準の防水性能を有しているので、利用者１は浴室１００の中で湯船に浸かりながら容易に音量を調節できる。リモートコントローラ３０は、オーディオ機器５０やオーディオ信号増幅装置１０などに比べて内部の電子回路やボタン等の操作機構が非常に単純であるため、比較的簡易な構成の容器３８によって所望の防水性能を得ることができる。
【００３１】
＜第２の実施形態＞
次に、本発明の第２の実施形態について説明する。
上述した第１の実施形態に係るオーディオ装置では、オーディオ機器１０とオーディオ信号増幅装置１０がケーブルによって接続されている。これに対し、本実施形態に係るオーディオ装置では、これらの機器の間で無線によりオーディオ信号が伝送される。
【００３２】
図６は、本実施形態に係るオーディオ装置の構成の一例を示す図である。
図６に示すオーディオ装置は、図１に示すオーディオ装置におけるオーディオ信号増幅装置１０をオーディオ信号増幅装置１０Ａへ変更するとともに、送信回路４０を追加したものであり、他の構成要素は図１に示すオーディオ装置と同様である。
【００３３】
送信回路４０は、オーディオ機器５０において出力されるオーディオ信号を含んだ無線信号（第２無線信号）に変換してオーディオ信号増幅装置１０Ａに送信する。
【００３４】
オーディオ信号増幅装置１０Ａは、例えば図７に示すように、オーディオ信号増幅装置１０（図３）と同様の構成に加えて、受信回路１５を有する。
受信回路１５は、送信回路４０から送信された無線信号（第２無線信号）を受信してオーディオ信号に変換し、当該変換したオーディオ信号を増幅回路１４に入力する。
リモートコントローラ３０の送信回路３４と送信回路４０は異なる周波数帯の無線信号を生成し、互いに混信を生じないように構成されている。
【００３５】
このように、本実施形態によれば、オーディオ機器５０からオーディオ信号増幅装置１０Ａへのオーディオ信号の伝送が無線により行われるため、オーディオ機器５０とオーディオ信号増幅装置１０Ａをケーブルで接続する必要がない。
これにより、宅内における通常の設置場所（例えば充電スタンド）にオーディオ機器５０を置いたままで、浴室前のオーディオ信号増幅装置１０Ａにオーディオ信号を伝送できるので、利用者１が浴室の前までオーディオ機器５０を運ぶ手間を省略できる。
【００３６】
以上、本発明の種々の実施形態について説明したが、本発明は上述した実施形態に限定されるものではなく、種々のバリエーションを含んでいる。
【００３７】
上述した実施形態では、オーディオ信号増幅装置１０に入力可能なオーディオ信号が１系統に限られているが、本発明はこれに限定されない。例えば、オーディオ信号増幅装置１０に複数系統のオーディオ信号を入力する入力端子と、この複数系統のオーディオ信号から１系統のオーディオ信号を選択するセレクタ回路とを設け、セレクタ回路により選択されたオーディオ信号を増幅回路１４へ入力するようにしてもよい。この場合、セレクタ回路におけるオーディオ信号の選択を、リモートコントローラ３０において送信される制御信号により制御してもよい。
【００３８】
上述した実施形態では、浴室の扉の外面に振動体を貼り付ける例が挙げられているが、本発明はこれに限定されない。例えば部屋と部屋を仕切る扉や窓、壁などに振動体を貼り付けて、これらの場所をスピーカとして作用させることにより、オーディオ信号を再生させてもよい。
【符号の説明】
【００３９】
１０，１０Ａ…オーディオ信号増幅装置、１１…本体制御回路、１２，１５…受信回路、１３…ＬＥＤ回路、１４…増幅回路、２０…振動体、２５…貼り付け部材、３０…リモートコントローラ、３１…リモートコントローラ制御回路、３２，３３…ボタン、３４，４０…送信回路、３５…電子部品、３６…回路基板、３８…容器（防水容器）
【図１】
2011234159.tif 000003
【図２】
2011234159.tif 000004
【図３】
2011234159.tif 000005
【図４】
2011234159.tif 000006
【図５】
2011234159.tif 000007
【図６】
2011234159.tif 000008
【図７】
2011234159.tif 000009